(57)【要約】【課題】排水性能が向上して乾燥時間を短縮することができ、スポンジ等で簡単に掃除できて清掃性が向上する浴室の洗い場面構造を提供する。【解決手段】凸部２と谷部３が交互に連続した形状に形成された浴室の洗い場面１ａにおいて、凸部２は平面視多角形であって、該多角形の中心と該多角形の辺の中心とを通る断面において、凸部２は谷部３から傾斜角度ａが８〜２０°で上方へ膨出しているとともに、凸部２の頂点と谷部３の底の高低差ｔが０．５〜２ｍｍに設定されている。【選択図】図４
2008082151.tif 000002
【特許請求の範囲】
【請求項１】
凸部と谷部が交互に連続した形状に形成された浴室の洗い場面において、
前記凸部は平面視多角形であって、該多角形の中心と該多角形の辺の中心とを通る断面において前記凸部は前記谷部から傾斜角度が８〜２０°で上方へ膨出しているとともに、前記凸部の頂点と前記谷部の底の高低差が０．５〜２ｍｍに設定されていることを特徴とする浴室の洗い場面構造。
【請求項２】
前記凸部は、断面視が一定の曲率を有する円弧形状で上方へ膨出されていることを特徴とする請求項１に記載の浴室の洗い場面構造。
【請求項３】
前記谷部は、断面視が一定の曲率を有する円弧で凹状に形成され、前記凸部と外接する円弧で繋がれていることを特徴とする請求項１または請求項２に記載の浴室の洗い場面構造。
【請求項４】
前記凸部は、前記断面において前記谷部から８〜２０°の角度で傾斜し水平方向に１〜１０ｍｍ延びる直線状の傾斜面と、該傾斜面の上の傾斜角度が１０°以下の膨出部または平坦部で構成され、前記傾斜面の角度は前記膨出部の角度よりも大きく設定されていることを特徴とする請求項１に記載の浴室の洗い場面構造。
【請求項５】
前記膨出部は、断面視が一定の曲率を有する円弧であることを特徴とする請求項４に記載の浴室の洗い場面構造。
【請求項６】
前記傾斜面と前記膨出部は、それぞれ内接する円弧で繋がれていることを特徴とする請求項４または請求項５に記載の浴室の洗い場面構造。
【請求項７】
前記谷部は、断面視において、幅が１〜２ｍｍの平面状に形成され、前記傾斜面と外接する円弧で繋がれていることを特徴とする請求項４または請求項５または請求項６に記載の浴室の洗い場面構造。
【請求項８】
前記凸部および谷部の表面は、微細な凹凸加工もしくは親水性塗料の塗布による親水性処理が施されていることを特徴とする請求項１〜請求項７何れかに記載の浴室の洗い場面構造。
【発明の詳細な説明】
【技術分野】
【０００１】
本発明は、浴室の洗い場面の構造に関するものである。
【背景技術】
【０００２】
従来、特許文献１に開示されているように、浴室の洗い場面を、上方に膨出した凸状の形状面と、凹状の目地で形成し、形状面と目地を曲面で繋げた構成のものがある。
【特許文献１】特開２００３−１７６５５８号公報
【発明の開示】
【発明が解決しようとする課題】
【０００３】
上記特許文献１に開示されている構造では、浴室の洗い場面を早く乾燥させることができるが、繋ぎ曲面の傾斜角度が大きいため、上方から垂直にスポンジ等の掃除道具をあてても繋ぎ曲面には力が入らず、凹状の目地に付着した汚れが掃除し難いという新たな問題が生じていた。
【課題を解決するための手段】
【０００４】
本発明は上記従来の問題点に鑑み案出したものであって、乾燥性能が向上するとともに、汚れを掃除し易い浴室の洗い場面構造を提供することを目的とし、その請求項１は、凸部と谷部が交互に連続した形状に形成された浴室の洗い場面において、前記凸部は平面視多角形であって、該多角形の中心と該多角形の辺の中心とを通る断面において前記凸部は前記谷部から傾斜角度が８〜２０°で上方へ膨出しているとともに、前記凸部の頂点と前記谷部の底の高低差が０．５〜２ｍｍに設定されていることである。
【０００５】
また、請求項２は、前記凸部は、断面視が一定の曲率を有する円弧形状で上方へ膨出されていることである。
【０００６】
また、請求項３は、前記谷部は、断面視が一定の曲率を有する円弧で凹状に形成され、前記凸部と外接する円弧で繋がれていることである。
【０００７】
また、請求項４は、前記凸部は、前記断面において前記谷部から８〜２０°の角度で傾斜し水平方向に１〜１０ｍｍ延びる直線状の傾斜面と、該傾斜面の上の傾斜角度が１０°以下の膨出部または平坦部で構成され、前記傾斜面の角度は前記膨出部の角度よりも大きく設定されていることである。
【０００８】
また、請求項５は、前記膨出部は、断面視が一定の曲率を有する円弧であることである。
【０００９】
また、請求項６は、前記傾斜面と前記膨出部は、それぞれ内接する円弧で繋がれていることである。
【００１０】
また、請求項７は、前記谷部は、断面視において、幅が１〜２ｍｍの平面状に形成され、前記傾斜面と外接する円弧で繋がれていることである。
【００１１】
また、請求項８は、前記凸部および谷部の表面は、微細な凹凸加工もしくは親水性塗料の塗布による親水性処理が施されていることである。
【発明の効果】
【００１２】
本発明は、凸部と谷部が交互に連続した形状に形成された浴室の洗い場面において、前記凸部は平面視多角形であって、該多角形の中心と該多角形の辺の中心とを通る断面において前記凸部は前記谷部から傾斜角度が８〜２０°で上方へ膨出しているとともに、前記凸部の頂点と前記谷部の底の高低差が０．５〜２ｍｍに設定されていることにより、汚れを落とし難かった谷部の底まで清掃道具が届き易くなり、スポンジ等の清掃用具で簡単に谷部の底側まで掃除できるものとなり、清掃性が向上したものとなる。
【００１３】
また、前記凸部は、断面視が一定の曲率を有する円弧形状で上方へ膨出されていることにより、凸部と谷部を繋ぐ屈曲面が無くなるため、清掃道具が谷部の底まで届き易くなり、全体を満遍なく掃除することができるものとなる。
【００１４】
また、前記谷部は、断面視が一定の曲率を有する円弧で凹状に形成され、前記凸部と外接する円弧で繋がれていることにより、凸部の頂点から谷部の底まで急に角度が変わることがないため、段差を有さない曲面が連続した形状となり、谷部の底まで良好に清掃することができるものとなる。
また、排水は谷部を広がりながら流れるようになり、広がって流れる水は、ゆっくりと排水されるため、洗い場面全域の排水が繋がったまま排水口へ流され、水切れ性能が向上し、洗い場面の乾燥時間を短縮させることができるものとなる。
【００１５】
また、前記凸部は、前記断面において前記谷部から８〜２０°の角度で傾斜し水平方向に１〜１０ｍｍ延びる直線状の傾斜面と、該傾斜面の上の傾斜角度が１０°以下の膨出部または平坦部で構成され、前記傾斜面の角度は前記膨出部の角度よりも大きく設定されていることにより、直線状の傾斜面が設けられているため、１つの凸部の幅寸法が大きくなり、洗い場面全体の谷部の本数を減少させることができ、しかも、谷部に付着した汚れはスポンジ等で簡単に清掃することができるものとなる。
【００１６】
また、前記膨出部は、断面視が一定の曲率を有する円弧であることにより、膨出部を球面で形成することにより、凸部の頂上に水滴が残ることが良好に防がれ、水切れが良くなり、排水性能が向上するものとなる。
【００１７】
また、前記傾斜面と前記膨出部は、それぞれ内接する円弧で繋がれていることにより、傾斜面と膨出部が円弧で繋がれて凸部の頂上に水滴が残ることが良好に防がれ、また、谷部の汚れを掻き出しやすくなり、清掃性が向上し、洗い場面の速乾性を確保できるものとなる。
【００１８】
また、前記谷部は、断面視において、幅が１〜２ｍｍの平面状に形成され、前記傾斜面と外接する円弧で繋がれていることにより、谷部の底面が幅を有するため、谷部の汚れをしっかりと掻き出すことができ、汚れが落としやすくなり、谷部に汚れが蓄積されにくいものとなる。
【００１９】
また、前記凸部および谷部の表面は、微細な凹凸加工もしくは親水性塗料の塗布による親水性処理が施されていることにより、洗い場面の排水が玉状になることがなく、排水は薄く膜状に広がって排水口まで流れてゆくため、水が繋がったまま良好に排水口に流れ、水切れ性能が向上して洗い場面の乾燥時間を短縮することができるものとなる。
【実施例】
【００２０】
以下、本発明の実施例を図面に基づいて説明する。
図１は、浴室の防水パン１の洗い場面１ａの平面構成図であり、図２は、図１の要部拡大平面構成図である。
防水パン１上の洗い場面１ａの表面は、平面視菱形の凸部２と、谷部３が、交互に連続したモザイクパターンに形成されている。なお、洗い場面１ａには浴槽側に排水口４が形成されており、この排水口４に向かって水勾配が形成されたものとなっている。
【００２１】
図３には、菱形の中心と菱形の辺の中心とを通る図２のＡ−Ａ線断面における、洗い場面の凸部２と谷部３の断面形状を示し、また図４には、図３の要部を拡大した断面構成図を示す。
凸部２は、谷部３の底側から最大傾斜角ａが８〜２０°で、曲率半径Ｒが１５〜１２０ｍｍの円弧形状に上方へ膨出されて形成されている。また、谷部３は、曲率半径ｒが２〜４ｍｍの円弧状をなす凹状に形成されており、この谷部３は凸部２と共通する接線で繋がれて段差状の傾斜面が無いものとなっている。なお、前記傾斜角ａは、隣り合う凸部２と凸部２の円弧の仮想交点Ｐを通る接線と水平線との角度である。
なお、凸部２の頂点と谷部３の底部間の高低差ｔは、１〜２ｍｍに設定されている。
【００２２】
なお、傾斜角ａが８°より小さい場合や高低差ｔが１ｍｍより小さい場合には、水切れ効果が悪くなることが確認されており、逆に、傾斜角ａが２０°を超えたり、高低差ｔが２ｍｍを越えると、凹凸が大きくなるため、足の踏み心地が悪くなり、洗い場面１ａに椅子等を置くとガタツキが生じるものとなる。
なお、谷部３の曲率半径ｒが２ｍｍより小さくなると、鋭角になり、谷部３に汚れが残り易くなることが確認されている。また、谷部の曲率半径ｒが４ｍｍより大きくなると、水切れが悪くなることが確認されている。
【００２３】
なお、例えば、傾斜角ａを２０°に設定して、凸部２の曲率半径Ｒを２０ｍｍに設定した場合、谷部３と谷部３間の水平距離は１５ｍｍとなる。また、傾斜角ａを８°に設定して、凸部２の曲率半径Ｒを１１３ｍｍに設定した場合には、谷部３と谷部３間の水平距離は３０ｍｍとなる。なお、傾斜角ａは好ましくは１０〜１２°が最適であり、また、高低差ｔは１．２〜１．４ｍｍが最適である。
また、凸部２の曲率半径Ｒは、好ましくは２０〜８０ｍｍが最適である。
【００２４】
上記したような傾斜角ａおよび高低差ｔに設定することで、スポンジ等の清掃具が谷部３の底まで入り易くなり、従来、細いブラシ等で擦らないと落ちなかった谷部３の汚れをスポンジ等の清掃具で簡単に清掃できるものとなる。
【００２５】
また、凸部２の頂点から谷部３の底部まで急に角度が変わることなく段差を有さない曲面で繋がれるため、谷部３を流れる排水は横に広がって流れ、抵抗が発生するため、ゆっくりとした流れで排水口４に向かうこととなり、これにより洗い場面１ａ全体の水滴が繋がったまま良好に排水口４に排水され、洗い場面１ａ全体の水切れ性能が向上して、洗い場面１ａの乾燥時間を短縮することができるものとなる。
【００２６】
なお、更に洗い場面１ａの凸部２および谷部３全域の表面に、微細な凹凸加工いわゆるシボ加工を施して、洗い場面１ａの表面全体を親水性にしておいたり、または、洗い場面１ａの表面全体に親水性塗料、例えばアクリルウレタンに親水化剤としてシラノール基が入っている塗料を塗布して、表面全体の親水性を向上させるように処理しておけば、洗い場面１ａの表面に排水が玉状になって残ることがなく、排水は薄く膜状に広がって排水口４まで流れてゆき、排水が繋がったまま途切れることがなく良好に排水されて、洗い場面１ａの乾燥期間を短縮することができるものとなる。
【００２７】
上記防水パンにおいて、表面の親水性は、「水との接触角」で５０°以下が好ましく、より好ましくは３０°以下であり、この「水との接触角」は小さいほど親水性が高く好ましい。また、防水パンの基体表面には、親水性膜が密着して形成されており、水との接触角は親水性膜の無い樹脂表面に比べて小さく、親水性が高い。親水性が高いと、防水パン上に残った水は広がりやすく、小区画上の水は谷部３へ流れ込みやすく、谷部３の水は繋がって排水口４へ導かれやすい。従って、蒸発，乾燥時間を短くすることができる。
【００２８】
なお、図５は、洗い場面のモザイクパターンを変更させた全体平面構成図であり、図６は、図５の要部拡大平面構成図である。
この図５および図６に示すようなモザイクパターンにおいても、凸部２は谷部３から傾斜角度８〜２０°で上方へ膨出した円弧形状に形成され、凸部２と谷部３の高低差は１〜２ｍｍに設定することで、良好な排水性能と清掃性が確保されるものとなる。
【００２９】
さらに、図７および図８には、モザイクパターンの異なる洗い場面の平面構成図を示す。
この図７および図８の洗い場面１ａでは、平面視三角形状の凸部２，２，２が谷部３，３，３と交互に形成されたものであり、各凸部２は、傾斜面２１と、膨出部２２で構成されている。
即ち、図７における要部拡大図を図９に示し、図１０では、更に図９の要部を拡大して示す。
【００３０】
各凸部２は平面視して、その中央部の略三角形状の膨出部２２の外周３辺に、それぞれ傾斜面２１，２１，２１が形成されており、それぞれの傾斜面２１が外周側の谷部３にそれぞれ連続し、３辺の谷部３，３，３に囲まれて、傾斜面２１と膨出部２２からなる凸部２が連続して形成されている。
【００３１】
図１０に示すように、傾斜面２１と膨出部２２の繋がる稜線２３の曲率半径Ｒは、例えば４５ｍｍに設定されている。また、図１０における傾斜面２１と傾斜面２１の繋がるｅで示す寸法は、例えば１５ｍｍに設定されている。
さらに、この傾斜面２１と膨出部２２からなる凸部２を詳細に説明するために、図１０におけるＢ−Ｂ線断面拡大図を図１１に示し、また、図１２では、図１０におけるＢ−Ｃ線断面拡大図を示す。
Ｂ−Ｃ線断面は、膨出部２２の中心２２ａと膨出部２２の辺の中心とを通る断面であり、このＢ−Ｃ線断面である図１２で示すように、谷部３から傾斜角ａで傾斜面２１が上向きに直線状に形成されており、この傾斜面２１の上端に、曲率半径ｒ２の円弧で繋がれて、傾斜角ｂの膨出部２２が連続して形成されており、この膨出部２２は曲率半径Ｒの円弧で形成されたものである。
【００３２】
また、本例では、谷部３の幅寸法ｄは１〜２ｍｍに設定されており、この谷部３から曲率半径ｒ１の円弧で前記傾斜面２１が繋がれたものとなっている。
即ち、谷部３と傾斜面２１は、それぞれに外接する曲率半径ｒ１の円弧で繋がれており、この曲率半径ｒ１は１〜２ｍｍに設定されている。
また、前記傾斜面２１の傾斜角度ａは８〜１５°に設定されており、好ましくは９〜１２°に設定される。また、傾斜面２１と膨出部２２は、それぞれに内接する円弧で繋がれており、この円弧の曲率半径ｒ２は２〜３０ｍｍであり、好ましくは５〜２０ｍｍに設定されている。また、図１１では、曲率半径Ｒが１２０ｍｍの場合を例示しており、このように膨出部の曲率半径Ｒが大きい場合は、膨出部２２はフラットに近くなる。
【００３３】
逆に、この膨出部２２の曲率半径Ｒが小さすぎると足の裏が痛く感じるものとなり、図１３では、曲率半径Ｒが１２ｍｍの場合を例示している。
なお、図１４では、この膨出部２２の曲率半径Ｒが９５ｍｍである場合を例示している。
なお、谷部３と膨出部２２の頂点との高低差ｔは、１〜２ｍｍの範囲に設定されており、膨出部２２の傾斜角度ｂは２〜１０°に設定されて、好ましくは４〜９°に設定される。
また、谷部３から傾斜面２１の最上点までの水平距離ｆは、５〜１０ｍｍに設定されており、また、谷部から膨出部２２の中心２２ａ、即ち頂点までの水平距離ｇは、７．５〜１５ｍｍに設定されている。また、谷部３と谷部３間の水平距離ｈは、１５〜３０ｍｍに設定されている。
【００３４】
なお、谷部３を幅寸法ｄの平面状に形成しておくことで、谷部３に溜まった汚れを良好に掻き出すことができるものとなり、汚れを落としやすいものとなる。
なお、傾斜面２１の傾斜角度ａは、膨出部２２の傾斜角度ｂよりも大きくなるように設定されており、膨出部２２の傾斜角度ｂは１０°以下に設定されているが、この傾斜角度ｂをゼロにすると、膨出部２２は平坦な平坦部２４となり、そのような平坦部２４に形成した場合の例を、図１５および図１６のＢ−Ｂ線断面図で示す。
【００３５】
図１５では、傾斜面２１の傾斜角度ａは９°に設定されており、谷部３から傾斜面２１の最上点までの水平距離ｆは１０ｍｍに設定されている。また、平坦部２４は傾斜面２１の最上点からほぼ水平に平面状をなし、その水平距離ｉは１０ｍｍに設定されている。
また、図１６のように、傾斜面２１の傾斜角度ａを１５°に設定した場合は、谷部３と傾斜面２１の最上点間の水平距離ｆは５ｍｍであり、平坦部２４の水平距離ｉは５ｍｍになる。
【００３６】
このように、傾斜面２１の上方に円弧状に膨出部２２を連続して形成させても、また傾斜面２１の上方に平面状の平坦面２４を形成させても良く、平坦面２４を形成させた場合にも、傾斜面２１は谷部３から８〜１５°の角度で傾斜して水平方向に５〜１０ｍｍ延びるように設定されており、この直線状の傾斜面２１を設けたことにより、１つの凸部２の水平方向寸法、即ち幅寸法が大となるため、洗い場面１ａ全体では谷部３の本数を減らすことができ、谷部３が減ることにより汚れが溜まりにくいものとなる。
また、谷部は幅１〜２ｍｍの平面状に形成されていれば、谷部に溜まった汚れはしっかりとスポンジ等で掻き出すことができ、谷部に汚れが蓄積されにくいものとなる。
【００３７】
なお、図１７に示すものは、前記図２のモザイクパターンの洗い場面において、平面視菱形状の各凸部２のそれぞれを、傾斜面２１と膨出部２２で構成した場合の要部平面拡大図である。
図１７のように、谷部３で囲まれた菱形の各凸部２は、中心部に膨出部２２を設けて、その周囲４辺に谷部３に向かって傾斜する傾斜面２１，２１，２１を連続させて形成することで、１つの凸部２の幅寸法が大となり、洗い場全体の谷部３の本数を減らすことができ、清掃性が向上するものとなる。
【００３８】
さらに、図１８には、モザイクパターンの異なる洗い場面の要部平面構成図を示す。
この図１８の洗い場面１ａでは、平面視正方形状の凸部２，２，２が谷部３，３，３と交互に形成されたものであり、各凸部２は、図１９に要部を拡大して示すように、中央部の膨出部２２の外周４辺に、それぞれ傾斜面２１，２１，２１，２１が形成され、それぞれの傾斜面２１が外周側の谷部３にそれぞれ連続して形成されている。
【００３９】
なお、図２０には、正方形状の凸部２の中心と凸部２の辺の中心とを通る図１９のＡ−Ａ線断面図を示し、また図２１には、このＡ−Ａ線断面における谷部３の拡大図を示す。
また、図２２には、正方形状の凸部２の中心と直交する凸部２の辺の中心とを通る図１９のＢ−Ｂ線断面図を示し、図２３には、Ｂ−Ｂ線断面における谷部３の拡大図を示す。
谷部３は、幅長ｄが１ｍｍに設定されて平面状の凹部となっており、この谷部３から傾斜角ａが１８°に設定された直線状の傾斜面２１が上傾状に形成され、谷部３と傾斜面２１間は、曲率半径ｒ１が３ｍｍに設定された外接する円弧で繋がれている。
【００４０】
Ａ−Ａ線断面においては、この傾斜面２１の上端に、曲率半径ｒ２が３．５ｍｍに設定された内接する円弧で膨出部２２がつなげられており、膨出部２２は、傾斜面２１の上端に対し傾斜角ｂが９°で膨出する曲率半径Ｒが５７．２ｍｍに設定された円弧で形成されている。
なお、この膨出部２２のＡ−Ａ線断面における水平方向距離ｊは２１ｍｍに設定されており、谷部３，３間の全長ｈは２５ｍｍに設定されている。また、谷部３の中心から前記傾斜面２１の上端までの水平距離ｌは、２ｍｍに設定されている。
【００４１】
また、Ｂ−Ｂ線断面においては、谷部３から、曲率半径ｒ１が３ｍｍの外接する円弧でつながれて傾斜角ａが１８°に設定された直線状の傾斜面２１が上傾状に形成され、傾斜面２１の上端から、曲率半径ｒ２が３．５ｍｍの内接する円弧でつながれた直線状の側面傾斜面２５が傾斜角ｃが１２°に設定されて上傾状に形成され、この側面傾斜面２５の上端には更に上部傾斜面２６が連続しており、この上部傾斜面２６の上端に略平坦状に膨出部２２が連続形成されており、側面傾斜面２５と上部傾斜面２６間の稜線２３ａは、図１９に示すように曲率半径１３ｍｍの円弧で形成され、上部傾斜面２６と膨出部２２間の稜線２３ｂは、曲率半径１９．４ｍｍの円弧で形成されており、各稜線２３ａ，２３ｂは、平行状にその両端側が凸部２のコーナー部側に延びている。
なお、Ｂ−Ｂ線断面における膨出部２２の対向する稜線２３ｂ，２３ｂ間の距離ｋは１２ｍｍに設定されている。
【００４２】
このように、凸部２にはＢ−Ｂ線断面において、対向する両側面にそれぞれ側面傾斜面２５及び上部傾斜面２６が形成されており、このような側面傾斜面２５，上部傾斜面２６が、図１８に示すように、隣り合わせの凸部２では９０°異なる配置状態にされている。
なお、この洗い場面１ａの凸部２及び谷部３の全域の表面には、親水性処理が施されている。
このようなモザイクパターンにおいても、凸部２と谷部３の高低差ｔは１．４５ｍｍとなっており、また谷部３の底と傾斜面２１の上端との間の溝高さｔ１は０．５ｍｍに設定され、足を置いた時に足の裏が痛く感じることがなく、しかも良好な排水性能と清掃性が確保されるように構成されている。即ち、谷部３の底まで清掃道具が届き易く掃除し易いものとなり、排水は谷部３を広がりながら流れるようになり、広がって流れる水はゆっくりと排水されるため、洗い場面１ａ全域の排水がつながったまま排水口へ流され、水切れ性能が向上し洗い場面１ａの乾燥時間を短縮させることができるものである。
【００４３】
次に、図２４には更に異なるモザイクパターンの洗い場面１ａの要部平面図を示す。
この図２４においても、平面視正方形状の凸部２，２，２が谷部３，３，３と交互に形成され、各凸部２は、傾斜面２１と平坦部２４で構成されている。即ち、図２５には、この凸部２を更に拡大して示す。
各凸部２は、平面視して中央部の正方形状の平坦部２４の外周４辺に、それぞれ傾斜面２１，２１，２１が形成されており、それぞれの傾斜面２１が谷部３にそれぞれ連続している。
【００４４】
なお、図２６には、図２５の正方形状の凸部２の中心と凸部２の辺の中心とを通るＡ−Ａ線断面図を示し、また図２７には、Ａ−Ａ線断面における谷部の拡大図を示す。
また、図２８には、図２５の正方形状の凸部２の中心と直交する凸部２の辺の中心とを通るＢ−Ｂ線断面図を示し、図２９には、Ｂ−Ｂ線断面における谷部の拡大図を示す。
Ａ−Ａ線断面及びＢ−Ｂ線断面のそれぞれにおいて、谷部３は幅長ｄが１ｍｍに設定された平面状に形成されており、谷部３から、曲率半径ｒ１が３ｍｍに設定された円弧でつながれて傾斜面２１が上傾状に形成されており、傾斜面２１の上端に、略水平状の平坦部２４が連続形成されている。
谷部３の中心から傾斜面２１の上端までの水平距離ｌは２ｍｍに設定されており、谷部３の底から平坦部２４までの高さｔ１は０．５ｍｍに設定されている。なお、谷部３から上傾する傾斜面２１の傾斜角ａは１８°に設定されている。また、対向する傾斜面２１，２１の外端間の水平距離ｈは２５ｍｍに設定されており、平坦部２４の水平距離ｊは２１ｍｍに設定されている。
【００４５】
本例においては、図２６のＡ−Ａ線断面に示すように、平坦部２４上には、Ｂ−Ｂ線断面方向に延びる凸条２４ａが、波状に一体形成されており、各凸条２４ａの平坦部２４からの突出高さは略０．１ｍｍに設定されている。
図２４のように、この凸条２４ａの延びる方向が隣り合う凸部２ごとに９０°位置を変えて配置され、洗い場面１ａが形成されている。
図２４に示すようなモザイクパターンの洗い場面１ａにおいても、高低差が小さく設定されており、良好な排水性能と清掃性が確保されるものである。
【図面の簡単な説明】
【００４６】
【図１】洗い場面の全体平面構成図である。
【図２】図１の要部拡大平面構成図である。
【図３】図１の洗い場面に形成されたモザイクパターンの断面構成図である。
【図４】図３の要部拡大断面構成図である。
【図５】モザイクパターンを変更した洗い場面の全体平面構成図である。
【図６】図５の要部拡大平面構成図である。
【図７】モザイクパターンを変更した洗い場面の全体平面構成図である。
【図８】更にモザイクパターンを変更した洗い場面の全体平面構成図である。
【図９】図７の洗い場面の要部を拡大して示す要部拡大平面構成図である。
【図１０】更に図９の要部を拡大した拡大構成図である。
【図１１】図１０におけるＢ−Ｂ線断面拡大図である。
【図１２】図１０におけるＢ−Ｃ線断面拡大図である。
【図１３】膨出部の曲率半径が小さい場合の例を示すＢ−Ｃ線断面拡大図である。
【図１４】膨出部の曲率半径が大な場合の例を示すＢ−Ｃ線断面拡大図である。
【図１５】膨出部に代えて平面状の平坦部を設けた場合のＢ−Ｂ線断面拡大構成図である。
【図１６】傾斜面の傾斜角度が大な場合の平坦部を有する凸部のＢ−Ｂ線断面拡大構成図である。
【図１７】図２に示したモザイクパターンにおいて、凸部を傾斜面と膨出部で構成した場合の要部拡大平面構成図である。
【図１８】モザイクパターンを変更した洗い場面の要部平面構成図である。
【図１９】図１８の凸部の拡大平面構成図である。
【図２０】図１９のＡ−Ａ線断面図である。
【図２１】Ａ−Ａ線断面における谷部の拡大構成図である。
【図２２】図１９のＢ−Ｂ線断面図である。
【図２３】Ｂ−Ｂ線断面における谷部の拡大構成図である。
【図２４】更に異なるモザイクパターンの洗い場面の要部平面構成図である。
【図２５】図２４における凸部の拡大平面構成図である。
【図２６】図２５のＡ−Ａ線断面図である。
【図２７】Ａ−Ａ線断面における谷部の拡大構成図である。
【図２８】図２５のＢ−Ｂ線断面図である。
【図２９】Ｂ−Ｂ線断面における谷部の拡大構成図である。
【符号の説明】
【００４７】
１  防水パン
１ａ  洗い場面
２  凸部
３  谷部
４  排水口
２１  傾斜面
２２  膨出部
２２ａ  膨出部の中心
２３，２３ａ，２３ｂ  稜線
２４  平坦部
２４ａ  凸条
２５  側面傾斜面
２６  上部傾斜面
ａ  傾斜角
ｂ  膨出部の傾斜角
ｆ  谷部と傾斜面の最上点間の水平距離
Ｒ  凸部の円弧の曲率半径
ｒ  谷部の円弧の曲率半径
ｒ１  谷部と傾斜面の繋ぎ部分の円弧の曲率半径
ｒ２  傾斜面と膨出部の繋ぎ部分の円弧の曲率半径
ｔ  凸部と谷部の高低差
【図１】
2008082151.tif 000003
【図２】
2008082151.tif 000004
【図３】
2008082151.tif 000005
【図４】
2008082151.tif 000006
【図５】
2008082151.tif 000007
【図６】
2008082151.tif 000008
【図７】
2008082151.tif 000009
【図８】
2008082151.tif 000010
【図９】
2008082151.tif 000011
【図１０】
2008082151.tif 000012
【図１１】
2008082151.tif 000013
【図１２】
2008082151.tif 000014
【図１３】
2008082151.tif 000015
【図１４】
2008082151.tif 000016
【図１５】
2008082151.tif 000017
【図１６】
2008082151.tif 000018
【図１７】
2008082151.tif 000019
【図１８】
2008082151.tif 000020
【図１９】
2008082151.tif 000021
【図２０】
2008082151.tif 000022
【図２１】
2008082151.tif 000023
【図２２】
2008082151.tif 000024
【図２３】
2008082151.tif 000025
【図２４】
2008082151.tif 000026
【図２５】
2008082151.tif 000027
【図２６】
2008082151.tif 000028
【図２７】
2008082151.tif 000029
【図２８】
2008082151.tif 000030
【図２９】
2008082151.tif 000031